(57)【要約】【課題】セルラーネットワークとの接続が不可能な状況でも、有料番組のスクランブルを解除するためのキーを取得して番組を視聴できる無線通信端末を提供する。【解決手段】デジタル放送を受信する放送受信部１３と、アドホック通信を行うＷＬＡＮ通信部１２と、セルラーネットワーク３００と接続して通信を行うセルラー通信部１１を備える。有料番組のスクランブルを解除するためのキーを取得した場合、当該解除キーに対応する有料番組の放送開始時間前にＷＬＡＮ通信部１２を起動して周囲の端末からのアドホック通信要求を待ち受ける。アドホック通信要求を受信したならば、アドホック通信要求を送信した端末に解除キーを送信する。解除キーを取得できなかった場合は、ＷＬＡＮ通信部１２から解除キーを所持する端末にアドホック通信要求を送信し、解除キーを所持する端末から解除キーを取得する。【選択図】図１
2009135643.tif 000002
【特許請求の範囲】
【請求項１】
デジタル放送の放送波を受信する放送受信部と、
アドホック通信を行うアドホック通信部と、
基地局を介して通信を行う広域通信部と、
前記アドホック通信部または広域通信部を介して、有料番組を視聴するための鍵を取得する鍵取得部と、
を備え、
前記鍵を取得した場合、当該鍵に対応する有料番組の放送開始時間前に前記アドホック通信部を起動することを特徴とする無線通信端末。
【請求項２】
前記放送受信部または前記広域通信部を介して番組情報を取得する番組情報取得部をさらに備え、
前記アドホック通信部は、前記番組情報に含まれるアドホック識別情報を用いて、アドホック通信要求を待ち受けることを特徴とする請求項１に記載の無線通信端末。
【請求項３】
前記アドホック通信部は、前記番組情報に含まれるアドホック識別情報を含むアドホック通信要求を受信すると、アドホック接続のための報知情報を送信することを特徴とする請求項２に記載の無線通信端末。
【請求項４】
自端末に固有の識別情報を用いてハッシュ値を算出する算出部をさらに備え、
算出したハッシュ値に基づくパターンでアドホック接続のための報知情報を間欠的に送信することを特徴とする請求項１または３に記載の無線通信端末。
【請求項５】
デジタル放送の放送波を受信する放送受信部と、
アドホック通信を行うアドホック通信部と、
基地局を介して通信を行う広域通信部と、
前記アドホック通信部または広域通信部を介して、有料番組を視聴するための鍵を取得する取得部と、
を備え、
前記鍵を取得できなかった場合、前記アドホック通信部は、前記鍵を有する無線通信端末のサーチを開始することを特徴とする無線通信端末。
【請求項６】
前記放送受信部または前記広域通信部を介して番組情報を取得する番組情報取得部を更に備え、
前記アドホック通信部は、前記番組情報に含まれるアドホック識別情報を用いて、前記鍵を有する無線通信端末をサーチすることを特徴とする請求項５に記載の無線通信端末。
【請求項７】
前記アドホック通信部は、前記番組情報に含まれるアドホック識別情報を含むアドホック通信要求を送信することを特徴とする請求項６に記載の無線通信端末。
【請求項８】
前記アドホック通信部は、前記鍵を有する無線通信端末から当該鍵を受信すると、前記番組情報に含まれるアドホック識別情報を用いて、アドホック通信要求を待ち受けることを特徴とする請求項５〜７のいずれか１項に記載の無線通信端末。
【請求項９】
前記アドホック通信部は、前記鍵を有する無線通信端末から当該鍵を受信すると、前記番組情報に含まれるアドホック識別情報を用いて、アドホック接続のための報知情報を送信することを特徴とする請求項５〜７のいずれか１項に記載の無線通信端末。
【発明の詳細な説明】
【技術分野】
【０００１】
本発明は、デジタル放送を視聴できる無線通信端末に関する。
【背景技術】
【０００２】
デジタル放送を視聴できる携帯端末では、ユーザが有料のデジタル放送を視聴する場合、有料番組のスクランブルを解除するためのキーが必要であり、このキーはセルラーネットワークの基地局を介して取得可能である。
なお、特許文献１では、有料番組のスクランブルを解除するキーを、ネットワーク経由でＣＳ放送局のサーバ装置からＣＤＭＡ端末機のＣＳチューナに配信する有料情報配信システムが提案されており、特許文献２では、携帯電話機を用いてネットワーク経由でコンテンツサーバから有料放送のスクランブルを解除するキーを取得し、自宅や旅先のテレビでキーを使用して番組を視聴するコンテンツ配信システムが提案されている。
【特許文献１】特開２００２−０８４５２０号公報
【特許文献２】特開２００１−３４５７６６号公報
【発明の開示】
【発明が解決しようとする課題】
【０００３】
しかしながら、携帯端末が基地局からの電波が届かない通信圏外にある場合や、通信輻輳のため基地局へのアクセスが規制されている場合等のように、携帯端末でのネットワーク接続が不可能な状況のときには、有料番組のスクランブルを解除するためのキーをネットワーク経由で取得することができず、番組を視聴することができない。このことは、コンテンツ配信業者にとっても、番組の契約ができず収益のチャンスを逃すことになり、さらにサービスの利便性の悪さから視聴者の利用意欲が失われることとなってコンテンツ配信業者の損失につながる。
【０００４】
本発明は、このような問題点に鑑みてなされたものであり、本発明の目的は、セルラーネットワークとの接続が不可能な状況であっても、有料番組のスクランブルを解除するためのキーを取得して番組を視聴できる無線通信端末を提供することにある。
【課題を解決するための手段】
【０００５】
上記目的を達成するため、本発明の無線通信端末は、デジタル放送の放送波を受信する放送受信部と、アドホック通信を行うアドホック通信部と、基地局を介して通信を行う広域通信部と、前記アドホック通信部または広域通信部を介して、有料番組を視聴するための鍵を取得する鍵取得部とを備え、前記鍵を取得した場合、当該鍵に対応する有料番組の放送開始時間前に前記アドホック通信部を起動することを特徴とする。
【０００６】
前記放送受信部または前記広域通信部を介して番組情報を取得する番組情報取得部をさらに備え、前記アドホック通信部は、前記番組情報に含まれるアドホック識別情報を用いて、アドホック通信要求を待ち受けることが好ましい。また、前記アドホック通信部は、前記番組情報に含まれるアドホック識別情報を含むアドホック通信要求を受信すると、アドホック接続のための報知情報を送信することが好ましい。
【０００７】
また、自端末に固有の識別情報を用いてハッシュ値を算出する算出部をさらに備え、算出したハッシュ値に基づくパターンでアドホック接続のための報知情報を間欠的に送信することが好ましい。
【０００８】
また、本発明の無線通信端末は、デジタル放送の放送波を受信する放送受信部と、アドホック通信を行うアドホック通信部と、基地局を介して通信を行う広域通信部と、前記アドホック通信部または広域通信部を介して、有料番組を視聴するための鍵を取得する取得部とを備え、前記鍵を取得できなかった場合、前記アドホック通信部が、前記鍵を有する無線通信端末のサーチを開始することを特徴とする。
【０００９】
前記放送受信部または前記広域通信部を介して番組情報を取得する番組情報取得部を更に備え、前記アドホック通信部は、前記番組情報に含まれるアドホック識別情報を用いて、前記鍵を有する無線通信端末をサーチすることが好ましい。また、前記アドホック通信部は、前記番組情報に含まれるアドホック識別情報を含むアドホック通信要求を送信することが好ましい。
【００１０】
前記アドホック通信部は、前記鍵を有する無線通信端末から当該鍵を受信すると、前記番組情報に含まれるアドホック識別情報を用いて、アドホック通信要求を待ち受けることが好ましい。また、前記アドホック通信部は、前記鍵を有する無線通信端末から当該鍵を受信すると、前記番組情報に含まれるアドホック識別情報を用いて、アドホック接続のための報知情報を送信することが好ましい。
【発明の効果】
【００１１】
本発明は、セルラーネットワークとの接続が不可能な状況であっても、周囲の無線通信端末からアドホック通信により有料番組のスクランブルを解除するためのキーを取得できるので、番組を視聴することができる。
【発明を実施するための最良の形態】
【００１２】
本発明の実施の形態について図面を参照して説明する。図１は、本発明の無線通信端末の一例を示すブロック図であり、アドホックネットワークを構築したときにマスタ端末１００−１となる無線通信端末とスレーブ端末１００−２となる無線通信端末を示している。なお、図１に示す無線通信端末１００−１、１００−２は、デジタル放送を視聴できる移動可能な携帯端末（ＰＤＡ、携帯電話機等）であり、同一の構成を有している。無線通信端末１００は、セルラー通信を行うセルラー通信部（広域通信部）１１と、アドホック通信を行うＷＬＡＮ通信部（アドホック通信部）１２と、デジタル放送の放送波を受信する放送受信部１３と、制御部（鍵取得部、番組情報取得部、算出部）１４と、入力部１５と、表示部１６と、タイマー部１７と、有料番組を視聴するためのキー（鍵）を記憶するキー記憶部２０と、番組宣伝情報を記憶する番組情報記憶部２１と、端末同士をアドホック通信により接続するアドホック接続のためのビーコン（報知情報）の送信パターンを記憶する送信パターン記憶部２２とを備える。ここで、アドホック通信とは、アクセスポイントを介さずに直接端末間で行う通信であり、セルラー通信とは、セルラーネットワーク（移動通信網）３００の基地局を介して行う通信である。
【００１３】
制御部１４は、セルラー通信部１１またはＷＬＡＮ通信部１２を介して有料番組を視聴するためのキーを取得し、取得したキーをキー記憶部２０に記憶する。
また、制御部１４は、セルラー通信部１１または放送受信部１３を介して番組宣伝情報を取得し、取得した番組宣伝情報を番組情報記憶部２１に記憶する。
また、制御部１４は、ＥＳＮ（Electronic Serial Number）、ＩＭＳＩ（International Mobile Subscriber Identity）、ＭＥＩＤ（Mobile Equipment Identifier）などの自端末固有のＩＤ（識別子）からハッシュ値を算出し、算出したハッシュ値に基づくビーコン送信パターンを送信パターン記憶部２２に設定し、後に述べる手順によりアドホックネットワークのマスタ端末となったときは、設定した送信パターンで、ＷＬＡＮ通信部１２からアドホック接続のためのビーコンを間欠的に送信する。
【００１４】
制御部１４は、セルラー通信部１１またはＷＬＡＮ通信部１２を介して有料番組を視聴するためのキーを取得し、取得したキーをキー記憶部２０に記憶する。
また、制御部１４は、セルラー通信部１１または放送受信部１３を介して番組宣伝情報を取得し、取得した番組宣伝情報を番組情報記憶部２１に記憶する。
また、制御部１４は、ＥＳＮ、ＩＭＳＩ、ＭＥＩＤなどの自端末固有のＩＤ（識別子）からハッシュ値を算出し、算出したハッシュ値に基づくビーコン送信パターンを送信パターン記憶部２２に設定し、解除キーを取得してマスタ端末となったときは、設定した送信パターンでＷＬＡＮ通信部１２からアドホック接続のためのビーコンを間欠的に送信する。
【００１５】
図２は、本発明の無線通信端末の動作を説明するフローチャートである。無線通信端末１００は、入力部１５からのユーザによる操作により、有料放送の番組宣伝情報を取得する（ステップ１０１）。なお、この番組宣伝情報の取得手段としては、番組表、番組ホームページ、メールマガジンなどが考えられるが、セルラーネットワークとの接続が不可能な状況でも放送波を通じて取得できる番組表や、セルラーネットワークとの接続が不可能な状況でも閲覧できる番組表、メールマガジンなどを含む。図３は、番組宣伝情報取得時の無線通信端末の状態を説明する図である。図３において、セルラーネットワークに接続可能な無線通信端末は、コンテンツ配信サーバから配信される番組表、メールマガジン、または番組ホームページにより番組情報を取得する。セルラーネットワークに接続不可能な端末は、放送波を通じて配信される番組表により番組情報を取得する。番組宣伝情報内には、番組名、番組開始時刻、価格、番組固有のアドホック構築情報（アドホック識別情報（ＳＳＩＤ：Service Set Identifier）、チャネル、ＷＬＡＮセキュリティ情報）などの番組情報が含まれる。
【００１６】
取得した番組宣伝情報に基づいて入力部１５より番組の視聴が予約されると、無線通信端末１００は、視聴予約された番組の番組情報を番組情報記憶部２１に登録する（ステップ１０２）。図４は、番組情報記憶部２１に登録される番組情報の一例を示す図である。図４に示すように、番組情報記憶部２１には、番組情報として、番組名、番組開始時刻、価格、アドホック構築情報（アドホック識別情報（ＳＳＩＤ）、チャネル、ＷＬＡＮセキュリティ情報、待ち受け開始時刻、サーチ開始時刻）が登録される。
【００１７】
次に、無線通信端末１００は、セルラーネットワークに接続可能か否かを判定し（ステップ１０３）、セルラーネットワーク接続が可能な状況であった場合（ＹＥＳの場合）は、セルラーネットワークを介してコンテンツ配信サーバから視聴予約した番組のスクランブルを解除するキーを購入する（ステップ１０４）。なお、購入したキーは、番組情報記憶部２１に登録された番組情報に関連付けられて、キー記憶部２０に格納される。
【００１８】
次に、自端末固有のＩＤからハッシュ関数によりハッシュ値を求め、その値によってビーコンの送信パターンを設定する（ステップ１０５）。ビーコンの送信パターンは、ＥＳＮ、ＩＭＳＩ、ＭＥＩＤなどの端末固有のＩＤ（識別子）からハッシュ関数によりハッシュ値を求め、その値によって分類する方法が挙げられる。図５は、ビーコンの送信パターンを４つに分類する場合のタイミング図である。分類する方法としては、ハッシュ値の下１桁が０、４、８ならＡのビーコン送信パターンとし、１、５、９ならＢのビーコン送信パターンとし、２、６ならＣのビーコン送信パターンとし、３、７ならＤのビーコン送信パターンとする方法が挙げられる。各送信パターンは６０秒のサイクリック動作で繰り返される。
【００１９】
その後、番組の放送開始前にアドホック待ち受けを開始するためのタイマを起動する（ステップ１０６）。なお、待ち受け開始タイマが満了する時刻と待ちうけ開始後にビーコンを送信するタイミングは端末によって異なるものとする。例えば、図５のように、待ち受け開始タイマの満了時刻が番組開始１０分前であった場合でも、ＡまたはＢのビーコン送信パターンはタイマ満了と同時にビーコンが送信されるが、ＣまたはＤのビーコン送信パターンはタイマ満了時から少し置いてビーコンが送信される。これにより、省電力や干渉抑止を図ることができる。アドホック待ち受け開始タイマを起動すると、解除キー購入済み動作（ステップ２００）を行う。即ち、ステップ１０３でセルラーネットワークに接続でき、ステップ１０４〜２００で解除キーの購入ができた無線通信端末１００は、本願のアドホックネットワークのマスタ端末となる。
【００２０】
ステップ１０３において、セルラーネットワーク接続が不可能な状況であった場合（ＮＯの場合）は、番組の放送開始前にアドホックサーチを開始するためのタイマを起動する（ステップ１０７）。アドホックサーチ開始タイマが満了する時刻は、番組の放送開始のｘ分前（例えば１０分前）とする。アドホックサーチ開始タイマを起動すると、解除キー取得待ち動作（ステップ４００）を行う。即ち、ステップ１０３でセルラーネットワークに接続できなかった無線通信端末１００は、本願のアドホックネットワークのスレーブ端末となる。
【００２１】
図６は、セルラーネットワークに接続不可能な状況で番組の視聴予約を行った無線通信端末１００−２の状態を説明する図である。解除キーを取得していない無線通信端末１００−２は、事前に入手した番組宣伝情報をもとに番組の視聴を予約し、解除キー取得待ち状態となる。なお、無線通信端末１００−１は、セルラーネットワーク内で解除キーを取得後、セルラーネットワーク圏外に移動してきた端末であり、解除キーを有している。
【００２２】
図７は、無線通信端末１００の解除キー購入済み動作（ステップ２００）を説明するフローチャートである。無線通信端末１００は、番組の放送開始の一定時間前になり、アドホック待ち受け開始タイマが満了すると（ステップ２０１）、受信電界強度が、例えば−９５〜−１０７ｄＢｍの弱電界（圏外状態に近い）か否かを判定し（ステップ２０２）、弱電界でない場合（ＮＯの場合）は、アクセス規制中であるか否かを判定する（ステップ２０３）。アクセス規制中でない場合（ＮＯの場合）は、動作を終了する。ステップ２０３において、アクセス規制中である場合（ＹＥＳの場合）およびステップ２０２において弱電界である場合（ＹＥＳの場合）は、周囲の無線通信端末が、ネットワークに接続できないために解除キーを取得していないと考えられるので、アドホック待ち受け動作（ステップ３００）を行う。
【００２３】
図８は、無線通信端末１００のアドホック待ち受け動作（ステップ３００）を説明するフローチャートである。無線通信端末１００は、ＷＬＡＮ通信部１２を起動し、番組情報記憶部２１に登録された番組情報に含まれるアドホック構築情報であるＳＳＩＤ、即ち、視聴予約した番組に固有のＳＳＩＤを用いて、スレーブ端末からのアドホック通信要求（Probe Request）を待ち受けるマスタ端末１００−１となる（ステップ３０２）。なお、このとき、番組情報内のアドホック構築情報である視聴予約した番組に固有のＳＳＩＤを用いて、アドホック接続のためのビーコン（報知情報）を送信するようにしても良い。マスタ端末１００−１は、送信パターン記憶部２２に設定されたビーコン送信パターンに従い、ビーコンの送信を開始してスレーブ端末からのアドホック通信要求（Probe Request）を待ち受ける。また、マスタ端末１００−１は、スレーブ端末１００−２からのアドホック通信要求（Probe Request）を受信した後に、視聴予約した番組に固有のＳＳＩＤを用いて、アドホック接続のためのビーコンを送信するようにしても良い。マスタ端末１００−１は、省電力を図るため、ビーコン送信中のみＷＬＡＮ通信部１２を立ち上げる。また、マスタ端末１００−１は複数存在してもよい。ここで、マスタ端末１００−１がビーコン送信パターンの数より少ないときでも、自端末のビーコン送信パターンに従うこととする。スレーブ端末１００−２からのアドホック通信要求（Probe Request）は、定期的に、かつ一定時間送信されるので、どこかのタイミングで接続できればよい。また、マスタ端末同士でアドホックネットワークを構築することを防ぐため、マスタ端末はアドホック通信要求（Probe Request）を送信しないものとする。
【００２４】
マスタ端末１００−１は、解除キーを所持していないスレーブ端末１００−２から番組情報記憶部２１に登録されているＳＳＩＤと同一のＳＳＩＤを含むアドホック通信要求（Probe Request）を受信し（ステップ３０３でＹＥＳの場合）、ビーコン送信中であった（ＷＬＡＮ通信部１２が立ち上がっていた）場合（ステップ３０４でＹＥＳの場合）は、通信応答（Probe Response）をスレーブ端末１００−２に送信し、アドホックネットワークを構築する（ステップ３０５）。その後、マスタ端末１００−１は、スレーブ端末１００−２からＷＬＡＮ通信部１２を介して解除キー取得要求を受信したならば（ステップ３０６）、要求された解除キーをＷＬＡＮ通信部１２を介してスレーブ端末１００−２に送信し（ステップ３０７）、アドホックネットワークを切断する（ステップ３０８）。なお、マスタ端末１００−１のアドホック待ち受けは番組の放送開始ｘ分後（例えば放送開始１０分後）まで継続し（ステップ３０１）、自動で終了する。
【００２５】
図９は、無線通信端末１００の解除キー取得待ち動作（ステップ４００）を説明するフローチャートである。即ち、視聴予約した番組の解除キーを所持していない無線通信端末１００は、まず、セルラーネットワークに接続可能か否かを判定する（ステップ４０１）。ステップ４０１において、ネットワーク接続が可能であった場合（ＹＥＳの場合）は、コンテンツ配信サーバから解除キーを購入し（ステップ４０２）、自端末固有のＩＤ（識別子）からハッシュ関数によりハッシュ値を計算して自端末のビーコン送信パターンを設定する（ステップ４０３）。その後、アドホック待ち受け開始タイマを起動し（ステップ４０４）、解除キー購入済み動作（ステップ２００）を行う。
【００２６】
ステップ４０１において、ネットワーク接続が不可能な状況の場合（ＮＯの場合）であって、アドホックサーチ開始タイマが満了した場合、即ちネットワーク接続が不可能な状況のまま番組の放送開始の一定時間前になった場合（ステップ４０５でＹＥＳの場合）は、無線通信端末１００は、スレーブ端末１００−２となり、ＷＬＡＮ通信部１２を介して、番組情報記憶部２１に登録された番組情報に含まれるアドホック構築情報であるＳＳＩＤ、即ち、視聴予約した番組に固有のＳＳＩＤを用いて、解除キーを所持しているマスタ端末のサーチを開始する。即ち、スレーブ端末１００−２は、視聴予約した番組に固有のＳＳＩＤを含むアドホック通信要求を送信する。または、マスタ端末１００−１が送信するビーコンを受信したときは、ビーコンの受信後に視聴したい番組に対応するＳＳＩＤを含むアドホック通信要求を送信する（ステップ４０７）。マスタ端末１００−１から、視聴したい番組に対応するＳＳＩＤを含むアドホック通信要求に対する応答を受信した場合、即ち、同番組の解除キーを所持するマスタ端末から通信応答（Probe Response）を受信した場合（ステップ４０８でＹＥＳの場合）は、そのマスタ端末とアドホックネットワークを構築し（ステップ４１０）、解除キー取得要求をＷＬＡＮ通信部１２を介してブロードキャスト（Broadcast）送信する（ステップ４１１）。
【００２７】
図１０は、番組の放送開始一定時間前の無線通信端末１００の状態を説明する図である。視聴予約した番組の解除キーを取得している無線通信端末１００−１は登録情報を利用してアドホック接続を待ち受け、解除キーを所持していない無線通信端末１００−２は登録情報を利用して解除キーを所持している無線通信端末をサーチする。
【００２８】
マスタ端末１００−１からアドホック通信により解除キーを受信すると（ステップ４１２）、スレーブ端末１００−２は、アドホックネットワークを切断し（ステップ４１３）、自端末固有のＩＤ（識別子）からハッシュ関数によりハッシュ値を計算して自端末のビーコン送信パターンを設定する（ステップ４１４）。その後、自分がマスタ端末となりアドホック待ち受け動作（ステップ３００）を行う。なお、マスタ端末が見つからず、解除キーを取得できない場合、スレーブ端末１００−２は、アドホックサーチを番組の放送開始ｘ分後（例えば放送開始１０分後）まで継続し（ステップ４０６）、自動で終了する。
【００２９】
マスタ端末１００−１から解除キーを受信したスレーブ端末１００−２は、セルラーネットワークに接続可能な状況になったときに、端末内に登録された番組情報をコンテンツ配信サーバに送信することで課金処理を行うものとする。
【００３０】
なお、上述した実施の形態では、マスタ端末がアドホック接続を待ち受けるチャネルについては触れていないが、待ち受けチャネルについても、自端末固有のＩＤ（識別子）から求めたハッシュ値によって分散させてもよい。その場合、スレーブ端末はマスタ端末が待ち受ける可能性のある全チャネルをスキャンすることになる。
【００３１】
以上、本発明の無線通信端末１００によれば、セルラーネットワークとの接続が不可能な状況であっても、周囲の携帯端末からアドホック通信により有料番組のスクランブルを解除するためのキーを取得できるので、番組を視聴することができる。
また、アドホック通信を行うためのアドホックネットワーク構築や、構築したアドホックネットワークでのキーの授受は番組の放送開始の一定時間前に自動で行われるため、ユーザ操作の手間が省ける。
また、アドホックネットワーク構築に必要な情報は番組情報に含まれ、事前に取得可能な番組宣伝情報をもとに視聴を予約した時点で必要情報が端末内に登録されるので、意識してアドホック通信の設定を行う必要がない。
【図面の簡単な説明】
【００３２】
【図１】本発明の無線通信端末の一例を示すブロック図である。
【図２】本発明の無線通信端末の動作を説明するフローチャートである。
【図３】番組宣伝情報取得時の無線通信端末の状態を説明する図である。
【図４】番組情報記憶部に登録される番組情報の一例を示す図である。
【図５】ビーコンの送信パターンを４つに分類する場合のタイミング図である。
【図６】セルラーネットワークに接続不可能な状況で番組の視聴予約を行った無線通信端末の状態を説明する図である。
【図７】無線通信端末の解除キー購入済み動作を説明するフローチャートである。
【図８】無線通信端末のアドホック待ち受け動作を説明するフローチャートである。
【図９】無線通信端末の解除キー取得待ち動作を説明するフローチャートである。
【図１０】番組の放送開始一定時間前の無線通信端末の状態を説明する図である。
【符号の説明】
【００３３】
１１  セルラー通信部
１２  ＷＬＡＮ通信部
１３  放送受信部
１４  制御部
１５  入力部
１６  表示部
１７  タイマー部
２０  キー記憶部
２１  番組情報記憶部
２２  送信パターン記憶部２２
１００  無線通信端末
１００−１  マスタ端末
１００−２  スレーブ端末
３００  セルラーネットワーク
【図１】
2009135643.tif 000003
【図２】
2009135643.tif 000004
【図３】
2009135643.tif 000005
【図４】
2009135643.tif 000006
【図５】
2009135643.tif 000007
【図６】
2009135643.tif 000008
【図７】
2009135643.tif 000009
【図８】
2009135643.tif 000010
【図９】
2009135643.tif 000011
【図１０】
2009135643.tif 000012